(57)【要約】      （修正有）【課題】生産リスクを低減するとともに、ＬＥＤモジュールの耐圧性と耐衝撃性と調節可能性を高めるＬＥＤライトパネルアセンブリを提供する。【解決手段】支持フレームとＬＥＤライトパネルとを備えるＬＥＤライトパネルアセンブリであって、支持フレーム２は透かし彫り枠体２２と支持リブ２１とを備え、支持リブと透かし彫り枠体は同一の水平面にあり、支持リブの両端はそれぞれ透かし彫り枠体の内部側壁に接続され、ＬＥＤライトパネル１は位置決め柱１１により位置決め穴２３と嵌合されて支持フレームに取り付けられている。ＬＥＤライトパネルを小さくすることにより生産リスクを低減し、炭素繊維採用の支持フレームに対して支持リブを設けることによりＬＥＤモジュールの耐圧性と耐衝撃性と調節可能性を高め、位置決め柱を設けることによりＬＥＤライトパネルの装着ずれを防止している。【選択図】図１
0003216203.tif 000002
【実用新案登録請求の範囲】
【請求項１】
支持フレームとＬＥＤライトパネルとを備えるＬＥＤライトパネルアセンブリにおいて、前記支持フレームは透かし彫り枠体と支持リブとを備え、前記支持リブと透かし彫り枠体は同一の水平面にあり、支持リブの両端はそれぞれ透かし彫り枠体の内部側壁に接続され、前記ＬＥＤライトパネルは支持フレームに取り付けられ、位置決め柱により位置決め穴と嵌合されていることを特徴とするＬＥＤライトパネルアセンブリ。
【請求項２】
前記透かし彫り枠体は矩形のものであり、第一支持ロッドと第二支持ロッドとを備え、前記第一支持ロッドと第二支持ロッドはいずれも２本であり、第一支持ロッド同士は互いに平行であり、第二支持ロッド同士は互いに平行であることを特徴とする、請求項１に記載のＬＥＤライトパネルアセンブリ。
【請求項３】
前記支持リブは複数であり、透かし彫り枠体の内部において等間隔で平行に設けられ、前記支持リブは第一支持ロッドと平行であることを特徴とする、請求項２に記載のＬＥＤライトパネルアセンブリ。
【請求項４】
前記支持リブは第一支持リブと第二支持リブとに分けられ、前記第一支持リブは複数であり、透かし彫り枠体の内部において等間隔で平行に設けられ、第一支持ロッドと平行であり、前記第二支持リブは複数であり、透かし彫り枠体の内部において等間隔で平行に設けられ、第二支持ロッドと平行であり、前記第一支持リブと第二支持リブは垂直に交差していることを特徴とする、請求項２に記載のＬＥＤライトパネルアセンブリ。
【請求項５】
１つの支持フレームに１６個のＬＥＤライトパネルが取り付けられ、前記ＬＥＤライトパネルはマトリックス状に配列されていることを特徴とする、請求項１に記載のＬＥＤライトパネルアセンブリ。
【請求項６】
前記位置決め穴は透かし彫り枠体及び支持リブの頂面に設けられ、位置決め柱はＬＥＤライトパネルの底面の両側に設けられ、前記ＬＥＤライトパネルは位置決め柱により支持フレームにおける位置決め穴と嵌合されて組み立てられたことを特徴とする、請求項１に記載のＬＥＤライトパネルアセンブリ。
【請求項７】
１つのＬＥＤライトパネルに２つ乃至４つの位置決め柱が設けられていることを特徴とする、請求項６に記載のＬＥＤライトパネルアセンブリ。
【請求項８】
１つのＬＥＤライトパネルに２つの第一位置決め柱と２つの第二位置決め柱との４つの位置決め柱が設けられ、前記第一位置決め柱はＬＥＤライトパネルの底部の左側に設けられ、前記第二位置決め柱はＬＥＤライトパネルの底部の右側に設けられるように両者がずれて設けられ、第一位置決め柱同士の間の距離は第二位置決め柱同士の間の距離よりも大きいことを特徴とする、請求項７に記載のＬＥＤライトパネルアセンブリ。
【請求項９】
１つのＬＥＤライトパネルに２つの位置決め柱が設けられ、前記位置決め柱はそれぞれＬＥＤライトパネルの底部の左右両側においてずれるように設けられていることを特徴とする、請求項７に記載のＬＥＤライトパネルアセンブリ。
【請求項１０】
前記支持フレームの厚さは５〜３５ｍｍであり、支持フレームの側面は４５°で傾斜して設けられていることを特徴とする、請求項１に記載のＬＥＤライトパネルアセンブリ。
【考案の詳細な説明】
【技術分野】
【０００１】
本考案はＬＥＤモジュールの分野に属し、具体的には、ＬＥＤライトパネルアセンブリに関する。
【背景技術】
【０００２】
ＬＥＤパネルライトは、一般に外枠、ＰＣカバー、導光板、光拡散板、光源、電源、バックカバー等で構成される。そのうち、外枠はライトボディ構造を固定し放熱させる役割をするものであり、アルミニウムフレームを採用することが多いが、支持力があり放熱可能な炭素繊維フレームを採用することもある。従来の炭素繊維フレームの枠体は単一の四辺の枠体から形成されたため、ＬＥＤアセンブリの設置は大きく制限されている。つまり、すべての部品は四辺の枠体によってのみ装着且つ締付け可能であり、特に、ＬＥＤライトパネルは枠体の寸法に合わせて２５０＊２５０ｍｍや５００＊１２５ｍｍや５００＊２５０ｍｍに設計される必要があり、このような単一のＬＥＤライトパネルは表面積が大きくなり、ＬＥＤモジュールではＬＥＤライトパネルはコストの大部分を占めているため、単一の大きなＬＥＤライトパネルにより生産リスクも比較的増加し、それに応じて、不良品による生産コストの損失も増加するようになってしまう。また、ＬＥＤモジュールにおいては、炭素繊維フレームは主に基板を支持するという耐荷重の作用を発揮し、単一の四辺の枠体構造では、中間に支持物がないため、製品の中心は大きな衝撃力に耐えられなく、製品の中心に圧力や衝撃が加えられた場合に、製品がうねり、ひいては壊れやすくなってしまう。
【０００３】
中国実用新案登録出願第２０１３２０２２３７７１．８号には、ライトフレームと、導光板と、ＬＥＤストリップライトとを備える「ＬＥＤカラーパネルライト」が開示されている。ライトフレームは四つのフレームプレートを備え、四つのフレームプレートは末端同士で接着され、ＬＥＤストリップライトはフレームプレートのライトフレームの中心を向く側に貼り付けられ、導光板はライトフレーム内に取り付けられるとともに、その側面がＬＥＤストリップライトに対向している。当該特許において採用されたライトフレームは上記した単一の四辺の枠体構造であり、支持効果が高くなく、製品の中心は大きな衝撃力に耐えることができない。
【０００４】
中国実用新案登録出願第２０１２２０３１０７２９．５号には、「支持基板を有するＬＥＤ表示装置」が開示されており、当該支持基板は炭素繊維材料から作成され、当該ＬＥＤ表示装置は上記支持基板を備える少なくとも一つのＬＥＤディスプレイスクリーンユニットで構成され、当該ＬＥＤディスプレイスクリーンユニットはカバーと、ライトパネルとシムプレートとからなるＬＥＤ表示モジュールと、支持基板と、制御盤と、電源と、バックカバーとを備え、支持基板はＬＥＤ表示モジュールと制御盤との間に挟まれるように設けられ、バックカバーはスタッドにより支持基板に接続され、隣接するＬＥＤディスプレイスクリーンユニットは支持基板の四隅に設けられたコネクター及び位置決めピンにより組み立てられている。当該ＬＥＤ表示装置は支持基板を設けることによりＬＥＤディスプレイスクリーンを固定して支持し、当該支持基板は板状構造であり、その支持効果は板状構造の厚さに依存し、高い支持効果を得ようとすると、材料のコストが高くなってしまい、実際の生産に有利ではない。
【考案の概要】
【考案が解決しようとする課題】
【０００５】
従来のＬＥＤライトパネルフレームを使用した場合、支持と固定の強度が高くなく、単一の大きなＬＥＤライトパネルにより生産リスクを招くという課題に対して、本考案は、ＬＥＤライトパネルを小さくすることにより生産リスクを低減するとともに、炭素繊維フレームに対して支持リブを設けることによりＬＥＤモジュールの耐圧性と耐衝撃性と調節可能性を高めるＬＥＤライトパネルアセンブリを提供する。
【課題を解決するための手段】
【０００６】
上記の技術的課題を解決するのに採用された本考案の技術的解決手段としては、
支持フレームとＬＥＤライトパネルとを備えるＬＥＤライトパネルアセンブリにおいて、前記支持フレームは透かし彫り枠体と支持リブとを備え、前記支持リブと透かし彫り枠体は同一の水平面にあり、支持リブの両端はそれぞれ透かし彫り枠体の内部側壁に接続され、前記ＬＥＤライトパネルは支持フレームに取り付けられ、位置決め柱により位置決め穴と嵌合されているＬＥＤライトパネルアセンブリを提供する。
【０００７】
さらに、前記透かし彫り枠体は矩形のものであり、第一支持ロッドと第二支持ロッドとを備え、前記第一支持ロッドと第二支持ロッドはいずれも２本であり、第一支持ロッド同士は互いに平行であり、第二支持ロッド同士は互いに平行である。
【０００８】
さらに、前記支持リブは複数であり、透かし彫り枠体の内部において等間隔で平行に設けられ、第一支持ロッドと平行である。
【０００９】
さらに、前記支持リブは第一支持リブと第二支持リブとに分けられ、前記第一支持リブは複数であり、透かし彫り枠体の内部において等間隔で平行に設けられ、第一支持ロッドと平行であり、前記第二支持リブは複数であり、透かし彫り枠体の内部において等間隔で平行に設けられ、第二支持ロッドと平行であり、前記第一支持リブと第二支持リブは垂直に交差している。
【００１０】
さらに、１つの支持フレームに１６個のＬＥＤライトパネルが取り付けられ、前記ＬＥＤライトパネルはマトリックス状に配列されている。
【００１１】
さらに、前記位置決め穴は透かし彫り枠体及び支持リブの頂面に設けられ、位置決め柱はＬＥＤライトパネルの底面の両側に設けられ、前記ＬＥＤライトパネルは位置決め柱により支持フレームにおける位置決め穴と嵌合されて組み立てられている。
【００１２】
さらに、１つのＬＥＤライトパネルに２つ乃至４つの位置決め柱が設けられている。
【００１３】
さらに、１つのＬＥＤライトパネルに２つの第一位置決め柱と２つの第二位置決め柱との４つの位置決め柱が設けられ、前記第一位置決め柱はＬＥＤライトパネルの底部の左側に設けられ、前記第二位置決め柱はＬＥＤライトパネルの底部の右側に設けられるように両者がずれて設けられ、第一位置決め柱同士の間の距離は第二位置決め柱同士の間の距離よりも大きい。
【００１４】
さらに、１つのＬＥＤライトパネルに２つの位置決め柱が設けられ、前記位置決め柱はそれぞれＬＥＤライトパネルの底部の左右両側においてずれるように設けられている。
【００１５】
さらに、前記支持フレームの厚さは５〜３５ｍｍであり、支持フレームの側面は４５°で傾斜して設けられている。
【考案の効果】
【００１６】
本考案は、支持フレームの内部に支持リブを設けており、支持リブによるＬＥＤライトパネルに対する支持と固定によって、ＬＥＤライトパネルの中心位置は、より一層圧力や衝撃に耐えられ、ＬＥＤライトパネルの安定性を高め、ＬＥＤライトパネルが衝撃を受けた後に発生した製品の表面のうねり、ひいては壊れを防止し、耐用年数を高めた。同時に、支持リブを増設することによって、ＬＥＤライトパネルの設置は外部支持フレームのみに制限されなくなり、それに応じて、ＬＥＤライトパネルの安定性に影響を与えることなく、寸法を小さくすることが可能になり、ＬＥＤライトパネルの生産リスクを低減し、生産において不良品が生じるというコストの損失は低下した。
【図面の簡単な説明】
【００１７】
【図１】本考案によるＬＥＤライトパネルアセンブリの構造の上面模式図である。
【図２】本考案によるＬＥＤライトパネルアセンブリの構造の下面模式図である。
【図３】本考案にかかる支持フレームの側面図である。
【図４】支持フレームとＬＥＤライトパネルとの完全な組立ての模式図である。
【図５】コネクターと位置決めブロックの一部拡大図である。
【図６】実施例１にかかる支持フレームの構造の上面模式図である。
【図７】実施例１にかかる支持フレームの構造の下面模式図である。
【図８】実施例２にかかる支持フレームの下面図である。
【図９】実施例３にかかるＬＥＤライトパネルの構造の下面模式図である。
【図１０】実施例３にかかるＬＥＤライトパネルの構造の上面模式図である。
【考案を実施するための形態】
【００１８】
本考案が解決しようとする技術的課題、技術的解決手段及び有益な効果をより明らか且つ明瞭にするために、以下、図面及び実施例に合わせて、本考案についてより詳細に説明する。ここで説明される具体的な実施例は本考案を解釈するためのものに過ぎず、本考案を限定するためのものではないことは理解されるはずである。
【００１９】
了解する必要があるのは、本考案の説明において、「縦方向」、「径方向」、「長さ」、「幅」、「厚さ」、「上」、「下」、「前」、「後」、「左」、「右」、「垂直」、「水平」、「頂」、「底」、「内」、「外」等の用語が指示する方位又は位置関係は、図面に示される方位又は位置関係に基づくものであり、本考案の説明を容易にし簡略化するためのものに過ぎず、その装置又は要素が特定の方位を有して特定の方位で構造され操作されなければならないことを指示し又は示唆するものではないため、本考案を制限するものとして理解されるべきではないことである。本考案の説明において、別途説明していない限り、「複数」は二つ又はそれ以上を意味する。
【００２０】
説明する必要があるのは、本考案の説明において、別途明らかに規定し限定していない限り、「取付け」、「連結」、「接続」という用語は一般的に理解されるべきであり、例えば、固定接続であってもよく、取外し可能な接続や、一体接続であってもよく、また、機械的接続であってもよく、電気的接続であってもよく、また、直接連結してもよく、仲介物を介して間接的に連結してもよく、また、二つの要素の内部の連通であってもよいことである。当業者にとっては、具体的状況に応じて上記用語の本考案での具体的な意味を把握することができる。
【００２１】
図１、図２及び図３を参照して、本考案は支持フレーム２とＬＥＤライトパネル１とを備えるＬＥＤライトパネルアセンブリを提供し、前記支持フレーム２は炭素繊維のものであり、支持フレームの材料としての炭素繊維の採用は、従来のアルミニウムフレームに比べて、強度が高く、耐圧性が高く、材質が軽いという利点を有するとともに、高い伝熱効果をも持ち、ＬＥＤライトパネル１の放熱を速めて、ＬＥＤライトパネル１の内部温度が高すぎることによりＬＥＤライトパネル１の作動性能に影響を与えるのを回避することができる。また、前記ＬＥＤライトパネル１は支持フレーム２に取り付けられ、前記支持フレーム２は透かし彫り枠体２２及びその内部に架設された支持リブ２１を備え、前記支持リブ２１と透かし彫り枠体２２は同一の水平面にあり、支持リブ２１の両端はそれぞれ透かし彫り枠体２２の内部側壁に接続され、前記透かし彫り枠体２２及び支持リブ２１の頂面に位置決め穴２３が開口され、ＬＥＤライトパネル１の底面の両側に位置決め柱１１が設けられ、前記ＬＥＤライトパネル１は位置決め柱１１により支持フレーム２における位置決め穴２３と嵌合されて組み立てられる。即ち、ＬＥＤライトパネル１の底面と支持フレーム２の頂面は接合されて、磁気装着により締め付けられており、また、図１と図２は単一のＬＥＤライトパネル１と支持フレーム２との結合の組立て模式図であり、取付けを行う時、ＬＥＤライトパネル１を支持フレーム２の頂部に置き、ＬＥＤライトパネル１における位置決め柱１１と支持フレーム２における位置決め穴２３とを位置合わせし、ＬＥＤライトパネル１を下へ押して位置決め柱１１を位置決め穴２３に挿入し、ＬＥＤライトパネル１の位置決めを実現した。
【００２２】
前記透かし彫り枠体２２は矩形のものであり、第一支持ロッドと第二支持ロッドとを備え、前記の第一支持ロッドと第二支持ロッドはいずれも２本であり、第一支持ロッド同士は互いに平行であり、第二支持ロッド同士は互いに平行である。説明する必要があるのは、本実施形態では、支持フレーム２とＬＥＤライトパネル１がいずれも矩形の構造であるが、実際に生産を行う場合では矩形の構造に限られず、他の形状例えば円形や三角形等の構造であってもよいことであり、また、主枠体としての透かし彫り枠体２２は、主にその内部の支持リブ２１に対して支持点を提供するようにＬＥＤライトパネル１を支持し固定する作用を発揮し、支持リブ２１は透かし彫り枠体２２の内部に架設されて、透かし彫り枠体２２を各々の小さなフレームに仕切り、ＬＥＤライトパネル１の組立て要求を満たすものであり、当該設置によれば、支持フレーム２の内部に取り付けられたＬＥＤライトパネル１に対する支持効果を高めて、その耐衝撃性を向上させ、全体の安定性を保証することができ、同時に、透かし彫りの炭素繊維フレームによりＬＥＤライトパネル１の放熱効果を高めた。
【００２３】
図４は支持フレーム２とすべてのＬＥＤライトパネル１との完全な組立ての模式図であり、１つの支持フレーム２に対応して１６個のＬＥＤライトパネル１が取り付けられ、前記ＬＥＤライトパネル１はマトリックス状に配列され、ＬＥＤライトパネル１の底面と支持フレーム２の頂面は互いに貼り合わせられ、ＬＥＤライトパネル１の側辺同士は互いに貼り合わせられ、また、支持リブ２１が設けられているため、ＬＥＤライトパネル１は大面積の単体としての取付けに限られなくなり、ＬＥＤライトパネル１の寸法をより一層小さくすることが可能になり、ＬＥＤライトパネル１によるマトリックスは支持フレーム２に配列され、透かし彫り枠体２２及び支持リブ２１により取り付けられて固定されており、さらに好ましくは、支持フレーム２の寸法を５００＊５００ｍｍとし、それに応じて、ＬＥＤライトパネル１の寸法を１２５＊１２５ｍｍとする。
【００２４】
図５を参照して、前記支持フレーム２の厚さは５〜３５ｍｍであることが好ましいが、異なるＬＥＤライトパネル１の大きさ、及び、支持フレーム２全体の大きさに応じて適応的な調整を行うことができ、異なる厚さでは、支持フレーム２は異なる耐圧強度を持ち、実際に生産を行う場合において、当該ＬＥＤライトパネルを適用する作業環境に応じて支持フレーム２の厚さを決定することができ、効果的な支持と固定作用を保証しながら、生産コストを低下させる。支持フレーム２の側面は４５°で傾斜して設けられており、二つの支持フレームを垂直につなぎ合わせやすくなり、二つのＬＥＤライトパネルアセンブリの間は平面的な組立てに限られず、垂直な組立てを行うことも可能になり、ＬＥＤライトパネルアセンブリ同士の組合せの多様性を増加した。前記支持フレーム２の底部における四隅の箇所には、支持フレーム２の固定と取付けのためのコネクター２４と位置決めブロック２５が設けられ、１つのコネクター２４に対応して３つの位置決めブロック２５が設けられ、前記位置決めブロック２５は直角三角形の関係でコネクター２４の周りに配置され、３つの位置決めブロックの配列による直角は支持フレーム２の底部の直角と一致している。
【００２５】
実施例１
本考案の好ましい実施形態として、図６と図７に示されるように、支持フレーム２とＬＥＤライトパネル１とを備えるＬＥＤライトパネルアセンブリにおいて、前記支持フレーム２は炭素繊維のものであり、前記ＬＥＤライトパネル１は支持フレーム２に取り付けられ、前記支持フレーム２は透かし彫り枠体２２及びその内部に架設された支持リブ２１を備え、前記透かし彫り枠体２２及び支持リブ２１の頂面に位置決め穴２３が開口され、前記ＬＥＤライトパネル１は矩形の構造であり、その底面の両側に位置決め柱１１が設けられ、位置決め柱１１により支持フレーム２における位置決め穴２３と嵌合されて組み立てられている。透かし彫り枠体２２は矩形のものであり、第一支持ロッドと第二支持ロッドとを備え、前記の第一支持ロッドと第二支持ロッドはいずれも２本であり、第一支持ロッド同士は互いに平行であり、第二支持ロッド同士は互いに平行である。前記支持リブ２１は３本であり、透かし彫り枠体２２の内部において等間隔で平行に設けられ、それぞれ支持ロッド２２ｂ及び支持ロッド２２ｄと平行である。
【００２６】
本実施例では、支持リブ２１は３本設けられて互いに平行であり、それにより、支持フレーム２は仕切られて４つの長方形のフレームが形成され、位置決め穴２３は長方形のフレームの両側に設けられて直線状に配列され、ＬＥＤライトパネル１の底面の両側に位置決め柱１１が設けられ、ＬＥＤライトパネル１は支持リブ２１同士の間、支持リブ２１と支持ロッド２２ｂとの間、及び、支持リブ２１と支持ロッド２２ｄとの間に跨るように置かれ、これにより、高い支持効果が得られる。また、４つの長方形のフレームが形成されているため、支持フレーム２の同一列に４つのＬＥＤライトパネル１を配列でき、大きな単体として取り付ける必要がなくなり、ＬＥＤライトパネル１の大きさに対する要求が低下し、単一のＬＥＤライトパネル１の仕様を小さなものとすることが可能になる。ＬＥＤモジュールではＬＥＤライトパネル１はコストの大部分を占め、単一のＬＥＤライトパネルの面積が大きいほど、生産リスクがそれに応じて大きくなり、単一のＬＥＤライトパネル１の仕様を小さくすることによって、生産過程において不良品が生じることによるコストの損失を効果的に抑えることができる。
【００２７】
実施例２
本考案の好ましい実施形態として、図８に示されるように、本実施例の技術的解決手段は、前記支持リブ２１が第一支持リブ２１１と第二支持リブ２１２に分けられ、前記第一支持リブ２１１が３本であり、透かし彫り枠体２２の内部において等間隔で平行に設けられ、それぞれ第一支持ロッド２２１と平行であり、前記第二支持リブ２１ｂが３本であり、透かし彫り枠体２２の内部において等間隔で平行に設けられ、それぞれ第二支持ロッド２２２と平行であり、前記第一支持リブ２１１と第二支持リブ２１２が垂直に交差している点で、実施例１と異なっている。
【００２８】
本実施例では、支持フレーム２の内部の支持リブ２１は第一支持リブ２１１と第二支持リブ２１２に分けられ、第一支持リブ２１１と第二支持リブ２１２は縦横に交差しているから、支持フレーム２はグリッド状に仕切られ、これにより、より強固な支持方式が実現され、グリッド毎に１つのＬＥＤライトパネル１が取り付けられることができ、ＬＥＤライトパネル１は縦方向の側辺に支持されているだけでなく、横方向の側辺にもよく支持されているようになり、ＬＥＤライトパネル１の安定性と耐衝撃性を効果的に保持し、ＬＥＤライトパネル１の耐震性に対する要求の高い場所に適用し、ＬＥＤライトパネル１の耐用年数を高めた。
【００２９】
実施例３
本考案の好ましい実施形態として、図９と図１０に示されるように、１つのＬＥＤライトパネル１に２つの第一位置決め柱１１１と２つの第二位置決め柱１１２との４つの位置決め柱１１が設けられ、前記第一位置決め柱１１１はＬＥＤライトパネル１の底部の左側に設けられ、前記第二位置決め柱１１２はＬＥＤライトパネル１の底部の右側に設けられるように両者がずれて設けられ、第一位置決め柱１１１同士の間の距離は第二位置決め柱１１２同士の間の距離よりも大きく、前記第一支持ロッド２２１及び支持リブ２１の頂面に位置決め穴２３が開口され、前記位置決め穴２３の分布位置はＬＥＤライトパネル１における位置決め柱１１の位置に対応している。
【００３０】
本実施例では、ＬＥＤライトパネルの底部の位置決め柱１１は４つとされてずれるように設けられ、ポカヨケの設計となり、ＬＥＤライトパネル１は矩形の構造であるため、ＬＥＤライトパネル１の底面と支持フレーム２の頂面が接触する場合、透かし彫り枠体２２及び支持リブ２１により限定されていても、ＬＥＤライトパネル１は２種の取付け方向があり、即ち、取付けを行う場合、ＬＥＤライトパネル１の左右両側が反転されやすく、人為的ミスにより装着ずれが発生してしまう。この時、本実施例にかかる位置決め柱１１の位置設計によれば、ＬＥＤライトパネル１の取付け方向を確定でき、つまり、第一位置決め柱１１１同士の間の距離を第二位置決め柱１１２同士の間の距離より大きくすることによって、ＬＥＤライトパネル１を取り付ける際に、第一位置決め柱１１１と第二位置決め柱１１２を位置決め穴２３に対応させる以外に、正確に取り付けることができず、ＬＥＤライトパネル１の唯一の取付け方向を確定でき、装着ずれを防止した。
【００３１】
実施例４
本考案の好ましい実施形態として、１つのＬＥＤライトパネルに２つの位置決め柱が設けられ、前記位置決め柱はそれぞれＬＥＤライトパネルの底部の左右両側においてずれるように設けられており、本実施例は実施例３と同様な作用があり、つまり、位置決め柱がずれて設けられることによって、ＬＥＤライトパネルを位置決めしポカヨケするという作用を発揮できる。
【００３２】
実施例５
本考案の好ましい実施形態として、１つのＬＥＤライトパネルに３つの位置決め柱が設けられ、前記位置決め柱はそれぞれＬＥＤライトパネルの底部の左右両側に設けられ、ＬＥＤライトパネルの底部の一方側における位置決め柱が２つであり、他側における位置決め柱が１つである。本実施例は実施例３と同様な作用があり、つまり、位置決め柱がずれて設けられることによって、ＬＥＤライトパネルを位置決めしポカヨケするという作用を発揮できる。
【００３３】
以上の説明から、従来技術に比べて、本考案は下記の利点を有することが分かった。
【００３４】
１．ＬＥＤライトパネルの支持フレームの内部に支持リブが設けられることによって、支持フレームの強度が向上し、それに取り付けられたＬＥＤライトパネルに対するより高い支持効果が得られ、ＬＥＤライトパネル、特にその中心位置の耐衝撃性が向上し、製品が壊れ表面がうねることが防止され、異なる作業環境に適している。
【００３５】
２．支持リブが設けられているため、ＬＥＤライトパネルの寸法が小さくなり、単一のＬＥＤライトパネルは大きな単体として取り付けられる必要がなく、各々の小さなものに分けられて生産され取り付けられるようになり、ＬＥＤライトパネルの生産リスク、及び、不良品が生じることによる生産コストの損失が低下した。
【００３６】
３．位置決め柱と位置決め穴に対するポカヨケ設置を行うことによって、ＬＥＤライトパネルを取り付ける場合での取付け方向のずれという問題が防止されている。
【００３７】
上記は本考案の好ましい実施例に過ぎず、本考案を制限するためのものではなく、本考案の精神と原則の範囲においてなされたあらゆる変更、等価取替及び改良等は、本考案の保護範囲に含まれるはずである。
【符号の説明】
【００３８】
１  ＬＥＤライトパネル
１１  位置決め柱
１１１  第一位置決め柱
１１２  第二位置決め柱
２  支持フレーム
２１  支持リブ
２１１  第一支持リブ
２１２  第二支持リブ
２２  透かし彫り枠体
２２１  第一支持ロッド
２２２  第二支持ロッド
２３  位置決め穴
２４  コネクター
２５  位置決めブロック
【図１】
0003216203.tif 000003
【図２】
0003216203.tif 000004
【図３】
0003216203.tif 000005
【図４】
0003216203.tif 000006
【図５】
0003216203.tif 000007
【図６】
0003216203.tif 000008
【図７】
0003216203.tif 000009
【図８】
0003216203.tif 000010
【図９】
0003216203.tif 000011
【図１０】
0003216203.tif 000012